(57)【特許請求の範囲】
【請求項１】
導電性ケーブルシールドが巻き付けられ、前記ケーブルシールドの外面がケーブル絶縁体
で覆われている、絶縁体で覆われた１つの内部導体を有する遮蔽ケーブルと、導電フィル
タ支持体と、電磁障害を低減するフィルタとを備えた低ノイズケーブルであって、前記導電フィルタ支持体が前記ケーブルシールドに接続されかつ前記ケーブル絶縁体の外側へと延びており、前記電磁障害を低減するフィルタが前記遮蔽ケーブルを覆うλ／４スリーブチョークであり、前記λ／４スリーブチョークが、前記ケーブル絶縁体に巻き付けられるスリーブチョーク絶縁体と、前記スリーブチョーク絶縁体を覆う導電性スリーブチョークシールドとを含み、前記スリーブチョーク絶縁体が前記導電性スリーブチョークシールドよりも長いことを特徴とする低ノイズケーブル。
【請求項２】
絶縁体で覆われた複数の内部導体を有し、前記絶縁体に導電性ケーブルシールドが巻き付けられ、前記導電性ケーブルシールドの外面がケーブル絶縁体で覆われている遮蔽ケーブルと、導電フィルタ支持体と、電磁障害を低減するフィルタとを備えた低ノイズケーブルであって、前記導電フィルタ支持体が前記ケーブルシールドの少なくとも１つに接続されかつ前記ケーブル絶縁体の外側へと延びており、前記電磁障害を低減するフィルタが前記遮蔽ケーブルを覆うλ／４スリーブチョークであり、前記λ／４スリーブチョークが、前記ケーブル絶縁体に巻き付けられるスリーブチョーク絶縁体と、前記スリーブチョーク絶縁体を覆う導電性スリーブチョークシールドとを含み、前記スリーブチョーク絶縁体が前記導電性スリーブチョークシールドよりも長いことを特徴とする低ノイズケーブル。
【請求項３】
それぞれ絶縁体で覆われた複数の内部導体を有する遮蔽ケーブルと、導電フィルタ支持体と電磁障害を低減するフィルタとを備えた低ノイズケーブルであって、前記複数の内部導体を覆う前記絶縁体に導電性ケーブルシールドが巻き付けられ、前記導電性ケーブルシールドがケーブル絶縁体で覆われ、前記導電フィルタ支持体が前記導電性ケーブルシールドに接続されかつ前記ケーブル絶縁体の外側へと延びており、前記電磁障害を低減するフィルタが前記遮蔽ケーブルを覆うλ／４スリーブチョークであり、前記λ／４スリーブチョークが、前記ケーブル絶縁体に巻き付けられるスリーブチョーク絶縁体と、前記スリーブチョーク絶縁体を覆う導電性スリーブチョークシールドとを含み、前記スリーブチョーク絶縁体が前記導電性スリーブチョークシールドよりも長いことを特徴とする低ノイズケーブル。
【請求項４】
それぞれ前記絶縁体で覆われた前記複数の内部導体のいくつかに内部導電性シールドが巻き付けられていることを特徴とする請求項３記載の低ノイズケーブル。
【請求項５】
約λ／４波長の長さを有する前記導電性スリーブチョークが前記内部導体に適用されることを特徴とする請求項１または２または３の何れかに記載の低ノイズケーブル。
【請求項６】
前記スリーブチョーク絶縁体が前記ケーブル絶縁体よりも大きな誘電率を有することを特徴とする請求項１または２または３の何れかに記載の低ノイズケーブル。
【請求項７】
第１電気装置と第２電気装置とを備えた電気装置であって、前記第１電気装置と前記第２
電気装置が請求項１または２または３の何れかで規定された低ノイズケーブルによって接
続されていることを特徴とする電気装置。
【請求項８】
前記第１電気装置が制御および／または処理ユニットであり、前記第２電気装置が入出力
インタフェース制御部であることを特徴とする請求項７記載の電気装置。
【請求項９】
前記第１電気装置が記憶装置であり、前記第２電気装置が入出力インタフェースおよび／
またはインタフェース制御部であることを特徴とする請求項７記載の電気装置。
【発明の詳細な説明】
【技術分野】
【０００１】
本発明は、放出、被影響性および情報漏れを含む広い意味での電磁障害（ＥＭＩ）の低減、特に単一遮蔽ケーブルおよび多重遮蔽ケーブルのシールドの非意図的電流の低減、そしてこれを使用した電気装置に関する。
【背景技術】
【０００２】
電子装置内の電磁障害は、意図的または非意図的な有害電磁界の存在から生じる。意図的電磁界、例えば無線通信アンテナまたは放送アンテナによって生成される磁界は、いくつかの特殊な目的のために故意に生成される。時間可変電流が電磁界を生成するので、非意図的電磁界はどんな電子装置からでも生じる可能性がある。ディジタル回路は非意図的電磁放射の広帯域源であり、いくつかの特定周波数の波長に匹敵する寸法の導体と接触しているかその近傍にあることが多い。このような導体は効果的源または受信アンテナとして作動することがある。
【０００３】
導電ケーブルは、特にケーブル長に沿った横断面の不連続性、例えば屈曲や終端を理由とする、効果的放射アンテナの一例である。ケーブルは非意図的電磁導波管として働いたり、伝導されるＥＭＩを増やす一因となったり、ソースとアンテナとの間の経路になったりする。高周波電磁波は単一導体ケーブルまたは多導体ケーブルによって導かれることがある。導体が２つの場合、任意の非零周波数で２つの基本伝搬モードが可能であり、これは時には、図８と図９に示したように電流極性１８に応じてディファレンシャルモード（ＤＭ）、コモンモード（ＣＭ）と称される。
【０００４】
導体の数が２つを超える場合、基本モードの数は例えば非特許文献１に示されたように増加するが、この文献ではＣＭが考慮されていない。任意数の導体の場合、すべての導体の電流について同じ極性で伝搬モードを定義することが可能であり、これは以下でＣＭまたはユニバーサルコモンモード（ＵＣＭ）と呼ぶ。ＵＣＭによって運ばれる総電流はすべての導体を流れる電流すべての代数的合計である。残りの基本モードは本特許においてディファレンシャルモード（ＤＭ）と呼ぶ。
【０００５】
同様に、電磁波は多重遮蔽ケーブルの単数または複数のシールドの外表面上を導くことができる。遮蔽有効性が十分に高い（良遮蔽ケーブルの）場合、ケーブル内外の磁界は結合されていないと見なすことができ、ＵＣＭ定義ではシールドの内部部品を含む内部導体は考慮すべきでない。例えば、同軸ケーブル等の単一の良遮蔽ケーブルの場合、ケーブルの外側を流れる電流はＣＭ電流またはＵＣＭ電流と呼ぶ。磁界が結合されていないと見なすのに必要な遮蔽有効性の値は、重大性の程度やケーブル内外の磁界の相対強度に依存しており、例えば磁界の１％低減は遮蔽有効性の約４０ｄＢを必要とするであろう。シールドの内部では、シールドは基準導体と考えることができ、シールドの内部部分の帰電流を有するコモンモード（ＬＣＭ）のローカル定義は二軸（ツイナックス）ケーブルのような多導体ケーブルについて使用することができる。
【０００６】
シールドの外側部分ではＤＭ電流が一種のノイズであり、シールドディファレンシャルモード（ＳＤＭ）という用語は、最終的に存在する他の無遮蔽ケーブルの意図的信号電流用に選択されたＤＭと区別するために使用される。ＳＤＭは、遮蔽ケーブルのシールドの電流と無遮蔽ケーブルの電流とを組み合わせて形成されるモードを含む。便宜上、シールドコモンモード（ＳＣＭ）という用語は、遮蔽ケーブルのみが存在する場合にＵＣＭについて使用し、そしてすべての遮蔽ケーブルで同じ電流極性を有するが少なくとも１つの無遮蔽ケーブルでは異なる極性を有するこれらのＳＤＭについて使用する。
【０００７】
ＨＤＭＩケーブルのように２つ以上の遮蔽レベルを有するケーブルの場合、あるいは最終的に高い遮蔽レベルを有する構成でこれらのケーブルを組み合わせる場合、先に定義したモードのローカル定義は良遮蔽ケーブルについて可能である。これは、ローカルＳＤＭおよびＳＣＭを有する全シールドの外側の最も高い遮蔽レベルにも、内側の中間遮蔽レベルにも、上記定義を適用できることを意味する。
【０００８】
本発明は、ケーブルシールドを流れる非意図的電流、すなわちＳＣＭ電流およびＳＤＭ電流の低減に関するものである。図３と図６の実施形態では最も外側のシールドのみ考慮される。図７の実施形態では任意の遮蔽レベルのシールドが考慮される。
【０００９】
ＥＭＩに関する上記諸問題は普通、伝導・放射された放出物の問題として示される。明らかに同じ理由から、ケーブルシールドの電流は、ＥＭＩや、静電気放電、ＥＭＰ（電磁パルス）および雷による不活性性という関連する問題の影響を電子装置が受けるという相互の問題でも役割を果たしている。別の重要な問題は、必ずしも放射電子装置に装着されていない、環境中に存在する遮蔽ケーブルとの直接的または間接的な結合を通した情報漏れの防止という問題である。ケーブルシールドを流れる電流の低減を目指すことで、本発明は少なくともこれらすべての分野に関係する。
【００１０】
シールド電流の低減ではＥＭＩフィルタがしばしば使用され、類似した原理に基づく多くの事例において、例えば特許文献１：米国特許第４５０６２３５号明細書ではＣＭ電流用にこれが使用される。特許文献２：米国特許第６８６７３６２号明細書、特許文献３：米国特許第６３３５４８３号明細書等の多くの特許ではフェライトチョークが提案されている。異なる周波数でフェライトチョークを組み合わせることは、例えば特許文献４：米国特許第５２８７０７４号明細書で提案されている。例えば特許文献５：米国特許第５９９０４１７号明細書では、吸収材料のシートが提案されている。
【００１１】
この種のフィルタの１つの利点として、それらは遮蔽ケーブルと無遮蔽ケーブルの両方に適用することができる。普通、それらはケーブルに電気接続される必要がなく、製造されたケーブルに対して何ら特別な努力なしに適用することができる。同様に、それらは広帯域フィルタである。他方で、最大周波数は使用する材料の磁気特性によって限定されており、標準的には１ＧＨｚ未満である。ＣＭ電流の低減は必ずしも十分でなく、標準的には１０ｄＢ未満である。実験的証拠が入手可能でないとしても、多重遮蔽ケーブル内のＳＤＭ電流の低減は、ケーブル横断面の電磁界の空間分布が異なるため、ＳＣＭ電流の低減よりもさらに少なくなる可能性が高い。なぜならば、ＳＤＭ電流ではエネルギーが主としてシールド間の空間内に集中するからである。
【００１２】
フィルタがケーブルシールドへの外部接続、例えば接地接続を必要とする場合、外部絶縁体を除去しなければならない。絶縁体の開口部によってシールドと内部導体との間を内部接続することは、例えば特許文献６：米国特許第３４６９０１６号明細書で考慮されている。ケーブルシールドへの外部接続は、例えば特許文献７：米国特許第４２５７６５８号明細書に示されている。この種の接続は、標準的には、例えば特許文献８：米国特許第５５９７３１４号明細書で明確に述べられているようにケーブル接地用に使用される。接地用の遮蔽ケーブル束の接続は、例えば特許文献９：米国特許第６４８５３３５号明細書で考慮されている。
【００１３】
この種の接続は、比較的大型で抵抗力のある同軸ケーブルに向いている。微小同軸ケーブル束の接地は、特許文献１０：米国特許第６４１３１０３号明細書で提案されている。この特許文献では、同軸ケーブルの外部絶縁体（被覆）の除去後、当初分離されていた同軸ケーブルが、２つの導電板によってケーブル長に沿った単数または複数の位置で、頂部と底部により、横方向で電気的に互いに接触している。特許文献１０の目的は、ポータブルコンピュータのシャシなどの大型導体に代表される単数または複数の接地接続によってＥＭＩを低減させることにある。一般に接地は、ケーブルと接地表面との距離が波長よりもはるかに小さいときに効果的である。
【００１４】
今日、高周波シリアルインタフェースケーブルは、１ＧＨｚ超のクロック周波数を有する。そのことから、インタフェースクロック周波数に関して、ＧＨｚ範囲内のいくつかの周波数でＥＭＩ放出ピークが強まる。この大きくて比較的絶縁されたノイズ周波数は、狭帯域フィルタによって、または狭帯域フィルタと広帯域フィルタとの組合せによって、一層効果的に低減させることができる。狭帯域フィルタの１つの欠点は、それらを正しい周波数に調整するために一層正確な設計を必要とすることにある。第２の欠点として、フィルタを最適化するためにノイズスペクトルの情報が必要である。それゆえに、状況に応じて、このフィルタは普通、例えば周知の特定インタフェースクロック周波数用に製造されたケーブルを除き、ケーブルと一緒に設計することができない。
【００１５】
これらのフィルタの１つはλ／４ＣＭ抑制スリーブであり、例えば非特許文献２で論じられている。この種のフィルタは周知のスリーブまたはバズーカ均衡不均衡変成器の延長部であり、例えば非特許文献３で論議されている。基本的には、一端を短くされたλ／４長の導波管が理想的には反対側末端に開回路として現れるという考えである。これらのスリーブＣＭチョークを設計する際の１つの問題点として、ＣＭ電流伝送を最小にする共振が起こる周波数は、実際には、スリーブがλ／４長となる周波数に厳密には一致しないことがあげられる。最適スリーブ長は実際にはスリーブの直径にも依存している。
【００１６】
均衡不均衡変成器は、各伝搬モードの間の伝送を改良する目的で平衡ケーブルと不平衡ケーブルとの間の伝送に使用される。ＣＭ電流の低減は、主たる目的ではないが有益かつ必要な効果である。他方で、λ／４スリーブチョークの目的は単一ケーブルのＣＭ電流を低減することであり、それゆえに実装時にいくつかの違いが存在することがある。例えば、ＣＭ電流源は平衡線と不平衡線との間の伝送に必要とされない。さらにスリーブの位置は、ＣＭ源の近傍が好ましいとはいえ厳密に末端である必要はない。この理由から、例えば非特許文献４で論議されかつスリーブチョークに同様に適用することもできる二重周波数スリーブ均衡不均衡変成器などの一層複雑な拡張を使用する代わりに、異なる周波数でスリーブチョークを縦続接続することも可能である。
【００１７】
λ／４スリーブＣＭサプレッサに関する１特許が特許文献１１：米国特許第６２８４９７１号明細書である。この発明は磁気共鳴イメージング用ケーブルであるので、この発明の分野は若干異なる。この場合、ケーブルは単一周波数の大きな電力信号を運び、ＣＭ電流はケーブル温度を高め、患者にとっての安全リスクを生じることがある。アンテナを有するＥＭＩ等の別の分野への適用がこの特許で考慮されている。この特許は、動作周波数で約λ／４に一致した長さの多数のスリーブチョークを有するケーブルを含む。
【先行技術文献】
【特許文献】
【００１８】
【特許文献１】米国特許第４５０６２３５号明細書
【特許文献２】米国特許第６８６７３６２号明細書
【特許文献３】米国特許第６３３５４８３号明細書
【特許文献４】米国特許第５２８７０７４号明細書
【特許文献５】米国特許第５９９０４１７号明細書
【特許文献６】米国特許第３４６９０１６号明細書
【特許文献７】米国特許第４２５７６５８号明細書
【特許文献８】米国特許第５５９７３１４号明細書
【特許文献９】米国特許第６４８５３３５号明細書
【特許文献１０】米国特許第６４１３１０３号明細書
【特許文献１１】米国特許第６２８４９７１号明細書
【非特許文献】
【００１９】
【非特許文献１】C．R．Paul：“Analysis of Multiconductor Transmission Lines”，2nd edition，Wiley−IEEE Press，2007．
【非特許文献２】S．A．Saario，J．W．Lu，and D．V．Thiel：“Fullwave analysis of the choking characteristics of a sleeve balun on coaxial cables”，Electronics Letters， vol．38，no．7，pp．304−305，March 2002．
【非特許文献３】J．D．Kraus：“Antennas”，2nd edition，McGrawHill，1988．
【非特許文献４】C．Ichelnand，and P．Vainikainen：“Dual−frequency balun to decrease influence of RF feed cables in small−antenna measurements”，Electronic Letters， vol．36，no．21，pp．1760−1761，Oct．2000．
【発明の概要】
【発明が解決しようとする課題】
【００２０】
特徴。本発明の主要な対象は単数または複数の遮蔽ケーブル、例えば同軸ケーブル、ツイナックスケーブル、シリアルインタフェースケーブルその他の遮蔽ケーブルを組み合わせることによって作製される低ノイズケーブルである。ケーブルはケーブル末端にコネクタを含むことができるが、必ずしもコネクタを含む必要はない。本発明の異なる実施形態は、フィルタによって、またはケーブルシールドに対するフィルタの接続を簡素化する特徴によって、ＳＣＭ電流およびＳＤＭ電流を低減するための解決策を提供する。
【００２１】
構成。このケーブルには、ＳＤＭ電流用反射末端を備えており、ＳＣＭ電流の低減を目指してケーブルシールドとＥＭＩフィルタとの間の接続を簡素化するいくつかの支持体が含まれている。一実施形態のケーブルでは、導電部品はケーブルシールドに接続され、ＥＭＩフィルタに接続されるよう外部誘電絶縁体の外側へと突き出している。別の実施形態では、ケーブル被覆はフィルタの逐次接続を可能とするいくつかの開口部を有する。別の実施形態において導電支持体と開口部は除去可能な絶縁体で覆われている。
【００２２】
λ／４スリーブチョークを有するシリアルインタフェースケーブルに主に適用されるが、本発明は、同軸遮蔽ケーブルまたは多導体遮蔽ケーブルおよび別の種類の遮蔽ケーブル、またはＥＭＩフィルタの組合せのような任意の遮蔽ケーブルと併用することができる。本発明によりユーザはＥＭＩフィルタをケーブルシールドに接続し、従ってユーザの必要に応じてフィルタを最適化することができる。ケーブル製造業者がこの適用を事前に知っていれば、フィルタをケーブルと一緒に設計することが可能である。それゆえにある実施形態は、異なる周波数に調整されたλ／４スリーブチョークの組合せも含む、ケーブルとＥＭＩフィルタとの組合せにも及んでいる。
【課題を解決するための手段】
【００２３】
本発明は上記先行技術の問題を解決し、導電性ケーブルシールド（６）が巻き付けられ
、ケーブルシールド（６）の外面がケーブル絶縁体（７）で覆われている、絶縁体（２１
、２２）で覆われた１つの内部導体（１９、２０）を有する遮蔽ケーブル（１００、１１
０）と、導電フィルタ支持体（５）と、電磁障害を低減させるフィルタ（４、１１）とか
ら成り、導電フィルタ支持体（５）がケーブルシールド（６）に接続されかつケーブル絶
縁体（７）の外側へと延びており、フィルタ（４、１１）が遮蔽ケーブル（１００、１１０）を覆うλ／４スリーブチョーク（１１）であり、λ／４スリーブチョーク（１１）が、ケーブル絶縁体（７）に巻き付けられるスリーブチョーク絶縁体（１６）と、スリーブチョーク絶縁体を覆う導電性スリーブチョークシールド（１７）とを含み、スリーブチョーク絶縁体（１６）が導電性スリーブチョークシールド（１７）よりも長いケーブルを提供する。
【００２４】
本発明は、絶縁体（２１、２２）で覆われた複数の内部導体（１９、２０）を有し、絶縁体（２１、２２）に導電性ケーブルシールド（６）が巻き付けられ、導電性ケーブルシールド（６）の外面がケーブル絶縁体（７）で覆われている遮蔽ケーブル（１２０）と、導電フィルタ支持体（５）と、電磁障害を低減させるフィルタ（４、１１）とを備え、導電フィルタ支持体（５）がケーブルシールド（６）の少なくとも１つに接続されかつケーブル絶縁体（７）の外側へと延びており、フィルタ（４、１１）が遮蔽ケーブルを覆うλ／４スリーブチョーク（１１）であり、λ／４スリーブチョーク（１１）が、ケーブル絶縁体（７）に巻き付けられるスリーブチョーク絶縁体（１６）と、スリーブチョーク絶縁体（１６）を覆う導電性スリーブチョークシールド（１７）とを含み、スリーブチョーク絶縁体（１６）が導電性スリーブチョークシールド（１７）よりも長いケーブルも提供する。
【００２５】
本発明はさらに、絶縁体（２１、２２）でそれぞれ覆われた複数の内部導体（１９、２
０）を有する遮蔽ケーブル（１３０、１４０）と、導電フィルタ支持体（５）と、電磁障
害を低減させるフィルタ（４、１１）とを備え、前記複数の内部導体（１９、２０）を覆う前記絶縁体（２１、２２）に導電性ケーブルシールド（６、６０）が巻き付けられ、前記導電性ケーブルシールドがケーブル絶縁体（７、７０）で覆われ、導電フィルタ支持体（５）が前記導電性ケーブルシールド（６、６０）に接続されかつケーブル絶縁体（７、７０）の外側へと延びており、前記フィルタ（４，１１）が前記遮蔽ケーブルを覆うλ／４スリーブチョーク（１１）であり、前記λ／４スリーブチョーク（１１）が、前記ケーブル絶縁体（７，７０）に巻き付けられるスリーブチョーク絶縁体（１６）と、前記スリーブチョーク絶縁体（１６）を覆う導電性スリーブチョークシールド（１７）とを含み、前記スリーブチョーク絶縁体（１６）が前記導電性スリーブチョークシールド（１７）よりも長いケーブルを提供する。
【００２６】
本発明はさらに、第１電気装置と第２電気装置とから成り、前記第１電気装置と前記第２電気装置が上記ケーブルによって接続されている電気装置を提供する。
【発明の効果】
【００２７】
本発明の主要な目的と効果は、ＳＣＭ電流およびＳＤＭ電流とそれらの電磁放射の低減である。いくつかの実施形態の第２効果は、ＳＣＭフィルタの準備が簡素化されることである。いくつかの実施形態の第３効果は、ケーブルシールドを接地導体または別の導体、例えば別の遮蔽ケーブルに接続する方策を提供することである。
【図面の簡単な説明】
【００２８】
【図１】本発明の略線図である。
【図２】シールド接続要素の略図である。
【図３】ストラップまたはワイヤを有する多重遮蔽ケーブルを示す。
【図４】シールド接続要素の実際的な実現状態を示す。
【図５】シールド接続要素の最適な実現状態を示す。
【図６】空隙を有する多重遮蔽ケーブルを示す。
【図７Ａ】複数のスリーブチョークを備えた本発明のワイヤの側面図である。
【図７Ｂ】図７Ａに示したケーブルのＡ‐Ａ断面図である。
【図７Ｃ】図７Ａに示したケーブルのＢ‐Ｂ断面図である。
【図７Ｄ】図７Ａに示したケーブルのＣ‐Ｃ断面図である。
【図７Ｅ】図７Ａに示したケーブルのＤ‐Ｄ断面図である。
【図８】２つのケーブルシールドのディファレンシャルモード電流の極性を示す。
【図９】２つのケーブルシールドのコモンモード電流の極性を示す。
【図１０】同軸ケーブルの断面の略図である。
【図１１】ツイナックスケーブルの断面の略図である。
【図１２】ＳＡＴＡケーブルの１レーンの断面の略図である。
【図１３】ＵＳＢ３．０ケーブルの断面の略図である。
【図１４】ＨＤＭＩケーブルの断面の略図である。
【図１５】遮蔽ケーブルの組合せの略線図である。
【図１６】ケーブルを有する電子装置の実施例を示す。
【図１７】ケーブルを有する電子装置の組合せの実施例を示す。
【図１８】ケーブルを有する電子装置の実施例を示す。
【図１９】ケーブルを有する電子装置の実施例を示す。
【発明を実施するための形態】
【００２９】
以下の図のいずれでも、相対寸法と形状は実際の割合および形状を表すものではない。これらの図は説明を目的とした略図にすぎない。例えば或る図で円形断面を有する導体は、明確に述べられていない限り実際に円形であると理解する必要がなく、任意の形状とすることができる。
【００３０】
本発明の略図が図１に示してある。符号１としたケーブルは複数の遮蔽ケーブル２で形成されたケーブルを示している。遮蔽ケーブル２はそれぞれフィルタ支持部３に接続されている。導電支持体はＥＭＩフィルタ４に接続されている。
【００３１】
図１のケーブル１は一群の相互絶縁導体を示しており、少なくとも１つの導体は残りの導体のすべてまたはいくつかまたは１つに対して、または残る１つの導体に対して電磁シールドとして働く。シールドは普通、図２に示すケーブル絶縁体７のようなケーブル絶縁体（被覆）によって個別に、または同じものを分担して、覆われている。
【００３２】
図２は２つの遮蔽ケーブル２を含むケーブル１の断面形状を示す。遮蔽ケーブル２はそれぞれケーブルシールド６で遮蔽されており、このケーブルシールドはケーブル絶縁体７で覆われている。そしてケーブルシールド６は導電部品５によって互いに接続されている。
【００３３】
この定義は遮蔽ケーブル２の組合せであるケーブル１を含むが、図示しない単数または複数の遮蔽ケーブルと単数または複数の無遮蔽導体との組合せであるケーブル１も含む。本発明は遮蔽ケーブル２のシールドに適用されるので、以下では遮蔽ケーブルのみが考慮される。しかしながら、別の無遮蔽導体を設け、結合してケーブル１を形成できることも明確に理解しなければならない。
【００３４】
遮蔽ケーブル２は機械的に互いに接合して、例えば図２の事例におけるように遮蔽ケーブルを取り囲むケーブル被覆７を有するケーブル１を形成することができ、または例えば多レーンＳＡＴＡまたはＳＡＳケーブルのレーンのようにコネクタのみで互いに緩く束ねることができ、特許文献１０：米国特許第６４１３１０３号明細書で開示された同軸ケーブルのようにいくつかの他の位置で束ねることも可能だが、必要というわけではない。
【００３５】
本発明において遮蔽ケーブル２のケーブルシールド６は、単数または複数のＥＭＩフィルタ４を接続するためにいくつかの導電フィルタ支持部３によってケーブル１に沿った単数または複数の位置で互いに接続されている。これらのフィルタ接続は、ケーブル１が２つの遮蔽ケーブル２で作製された事例について図２に導電部品５で図解的に示してある。遮蔽ケーブル２の内部は本発明に無関係なのでこの図に示してはない。導電部品５はすべての外部シールドを直接的または間接的に接続する。これらの接続の実現は後に説明する。導電部品５で表されたこれらフィルタ支持体は、ＳＣＭを低減させるためにまたはＳＤＭをさらに低減させるために図１のＥＭＩフィルタ４に接続することができる。導電フィルタ支持部３は接地用に使用することもできる。
【００３６】
本発明の一実施形態が図３に示してある。この実施形態において図１のフィルタ支持部３は導電ストラップ８で実現されている。選択的実現は導電ワイヤ、または編組または別の可撓導体による。柔軟性が異なる種類のフィルタへの接続を一層容易とする。この実施形態ではＥＭＩフィルタ４が設けられておらず、最終的な接続用にフィルタ支持部３（導電ストラップ８）のみが設けられている。導電ストラップ８は導電部品５に相当し、ケーブル１の内部で遮蔽ケーブル２のケーブルシールド６に接続されている。いずれの図でもフィルタストラップの寸法は図解を目的に若干誇張してある。
【００３７】
フィルタ支持部３（導電ストラップ８）は図４に示すようにケーブルシールド６に接続されている。導電ストラップ８はケーブルシールド６に巻き付けられて、すべてのシールドに接続されている。導電ストラップ８の巻数は関係なく、機械的強度をもたらしかつケーブルシールド６との電気接触を向上させるために巻き数を増やすことができる。導電ストラップ８の材料は任意の導電性材料とすることができるが、例えば銅のように半田付可能な導電性材料が好ましい。導電ストラップ８はケーブルシールド６に半田付することができるが、必ずしも半田付する必要はない。それらが半田付されない場合、導電ストラップ８をケーブルシールド６に固定する別の方法、例えば導電ストラップ８の末端のピン止めまたは結束によっても可能である。
【００３８】
一変形例において導電ストラップ８は除去可能な絶縁体、例えば絶縁テープで覆われている。別の変形例では、除去可能なカバー式絶縁体が同様に導電ストラップ８をケーブル被覆７に取付けている。
【００３９】
同様に、内部シールド（ケーブルシールド６）のいずれにも外部から手が届く限り、第一実施形態の異なる変形例が可能である。内部シールド（ケーブルシールド６）間の接続はケーブル１の外側で実現することができるが、いくつかの伝搬モードではケーブルシールド６の間でエネルギーが集中するのでＳＤＭ電流の低減にとってあまり効果的でない。別の実施形態において、導電ストラップ８は特許文献１０：米国特許第６４１３１０３号明細書に開示された板のように剛性とすることができ、または任意の形状とすることができる。一例が図５に示してあり、そこでは図４の導電ストラップ８がケーブル被覆７の向こうまで延びる完全導電表面９に取り替えられている。この構成では、ＳＤＭ電流の低減が最良となる。
【００４０】
特許文献１０の特定実施形態のいくつかの観点は、本特許の実施形態のいくつかときわめて類似しているとしても、多くの重要な違いがある。特許文献１０は、同軸ケーブルのシールドの電流を接地表面に排流させてＥＭＩを低減することを目指している。本発明では、一般に接地接続を必要としない他のＥＭＩフィルタ４によってケーブルシールド６の電流が低減されている。ここで論議する遮蔽ケーブル２は、同軸ケーブルだけではないがそれを含む任意種類の遮蔽ケーブルである。導電フィルタ支持体または導電部品５はフィルタ接続に備えて作られているが、それらは、ＥＭＩフィルタ４が使用されない場合もケーブル１に残ると見なされている。この理由から、いくつかの実施形態においてそれらは除去可能な（図示しない）ケーブル絶縁体で覆われている。
【００４１】
この実施形態の別の変形例が図６に示してある。この実施形態では図３で説明されている導電ストラップ８が設けられていない。ケーブル１’に沿ったいくつかの位置においてケーブル被覆７’が除去されていくつかの空隙１０を形成し、それにより、ＥＭＩフィルタ４をケーブルシールド６に接続するために各遮蔽ケーブル２のシールドの少なくとも一部が露出したままとされる。遮蔽ケーブル２の露出部分は除去可能な絶縁体、例えば絶縁テーブで覆うことができるが、しかし必ずしも覆っておく必要はない。
【００４２】
ＥＭＩフィルタに関する実施形態の１つを、図７Ａ〜図７Ｅを参考に説明する。図７Ａでは、フィルタとして働きかつスリーブチョーク絶縁体１６とスリーブチョークシールド１７とを含む単数または複数のスリーブチョーク１１がケーブル１と一緒に設けられている。ケーブル１が特定機能用に作製され、例えば高周波シリアルインタフェースケーブルの事例のように、強いＥＭＩ放出ピークが１つまたはいくつかの周波数で予想されるときには好都合である。この図には４つの異なる断面が示してある。
【００４３】
図７Ｂの断面１２は、スリーブチョーク１１が設けられていないケーブル１のＡ‐Ａ断面に対応している。これは、２つの遮蔽ケーブル２から成るケーブルの一例にすぎない。図７Ｄの断面１４はスリーブチョーク１１の主要部分のＣ‐Ｃ断面に対応しており、スリーブチョークの長さはスリーブチョーク１１が機能のため必要とする周波数で約λ／４である。スリーブチョーク１１の厳密な最適長さはケーブル太さとスリーブ太さとによるが、現在それは知られていない。波長はケーブル絶縁体７およびスリーブチョーク絶縁体１６の誘電率を考慮して計算しなければならない。スリーブチョーク絶縁体１６とケーブル絶縁体７は同質である必要がなく、多数の異なる絶縁体で構成して、例えば異なる誘電特性および／または磁気特性を有する複数の層を形成することができる。
【００４４】
スリーブチョーク絶縁体１６は普通、スリーブチョーク１１の長さを短縮するためにケーブル絶縁体７よりも大きな誘電率を有するが、同じ誘電率またはそれより低い誘電率を有することもできる。スリーブチョーク絶縁体１６は、電磁波を後方にのみ反射する代わりに散逸エネルギーによってもシールド電流をさらに低減させるために、誘電損失および／または磁気損失が大きい損失物質とすることができる。標準的構成の複雑さのゆえに普通、波長を計算するのに二次元数値シミュレーションが必要である。ケーブル１が同軸ケーブルである場合、絶縁体７、１６はどちらも、円筒対称性と、得ることのできる波長について閉形状方程式とを有する。
【００４５】
図７Ｅの断面１５は、スリーブチョーク１１の末端のＤ‐Ｄ断面に一致している。この領域には図２の導電部品５が設けられ、スリーブチョーク１１のスリーブチョークシールド１７に接続されている。ケーブルシールド６の間の接続がＳＤＭ電流の広帯域反射を受け持つのに対して、スリーブチョークシールド１７およびケーブルシールド６自体に対する接続はＳＣＭの狭帯域反射を受け持つ。
【００４６】
図７Ｃの断面１３は、スリーブチョークシールド１７が存在しないスリーブチョーク１１の他端の近傍領域にあるＢ‐Ｂ断面に一致している。この領域では、スリーブチョーク１１の応答周波数を低減させる可能性を維持するために、チョーク絶縁体１６はスリーブチョークシールド１７の向こうまで延ばすことができる。これは、例えば何らかの銅テープによって、露出したチョーク絶縁体１６の一部がシールドの長さを越えて延長させることで可能となる。この実施形態の別の重要な利点として、ケーブルを取り囲む空間内での電磁エネルギーはケーブル近傍よりも一層集中しており、ＳＣＭの大幅な低減が期待される。別の実施形態では、チョーク絶縁体はシールドと同じ長さを有する。
【００４７】
スリーブチョークは同一である必要がなく、実施形態に応じて同じ周波数または異なる周波数に調整することができる。
【００４８】
スリーブチョーク１１の開口部を２つのケーブル末端のいずれかに向けることができるように、任意の数および向きのスリーブチョーク１１を使用することができる。スリーブチョーク１１は、スリーブチョークの内側または外側で別の種類のＥＭＩフィルタ、例えば広帯域フェライトビーズまたは損失磁性体の薄層と組み合わせて使用することができる。
【００４９】
別の実施形態では、λ／４型のスリーブだけでなく、異なる種類のスリーブチョークを使用することができる。これらのチョークは、スリーブ均衡不均衡変成器から得られたスリーブチョークと同様の仕方で、例えば非特許文献３で既知の均衡不均衡変成器から得ることができる。
【００５０】
別の実施形態ではスリーブチョークは追加の絶縁体で覆うことができ、別の実施形態ではこの絶縁体をケーブルも覆うことができる。
【００５１】
提案された実施形態のいくつかは特許文献１１：米国特許第６２８４９７１号明細書で提案された実施形態のいくつかに類似しているが、いくつか重要な違いがある。特許文献１１に述べられた発明は同じ動作周波数に調整された多数のλ／４スリーブチョークを使用しており、このスリーブチョークは多くとも１つのシールドと少なくとも１つの内部導体とを有するケーブルを取り囲んでいる。単一遮蔽ケーブルも含むこの発明は、多数の遮蔽ケーブルから成るケーブルである多重遮蔽ケーブルに的を絞っている。これは、すべてのシールドを電気的に接続してＳＤＭ電流を低減するために、導電フィルタ支持体によって表される付加的特徴を必要とする。この発明は１つの周波数に限定されず、スリーブチョークを別のＥＭＩフィルタと組み合わせる可能性を含んでいる。
【００５２】
特許文献１１に述べられた発明は、ケーブル被覆とチョーク絶縁体との間を区別しておらず、スリーブチョークのシールドからケーブルシールドへと延びる単一の低損失絶縁体を規定している。それに対して本発明では、絶縁体の数は１よりも大きくすることができる。そのことから製造プロセスに重要な違いが生じる。なぜならば、本発明ではスリーブチョークはケーブル被覆とは異なる生産段階で加えることができるからである。
【００５３】
図８と図９には２つのシールドの事例におけるＳＤＭ電流およびＳＣＭ電流の電流極性１８が示してある。
【００５４】
図１０、図１１、図１２、図１３、図１４は、本発明を適用することのできる遮蔽ケーブルの実施例である。既に説明したように、別のケーブルも可能である。
【００５５】
図１０は同軸ケーブル１００の断面の略図である。この同軸ケーブル１００は、ケーブ
ル絶縁体で覆われた１つの内部導体１９、またはケーブルシールド６１を巻き付けられた
被覆２１を有するだけであるので、本発明で考慮された最も単純な遮蔽ケーブルである。
そしてケーブルシールド６１の外側はケーブル絶縁体７１で覆われている。ケーブルシールド６１からケーブル絶縁体７１の外側へと延びる導電部品５は図７Ａに示すスリーブチョーク１１のスリーブチョークシールド１７に接続されており、このスリーブチョークがケーブル絶縁体７１の外面を覆う。
【００５６】
２つの内部導体１９、２０を有する遮蔽ケーブルの例はツイナックスケーブル１１０であり、図１１に略示したものである。
【００５７】
内部導体１９を覆う絶縁体２１と、内部導体２０を覆う絶縁体２２と、絶縁体２１、２
２を覆う絶縁体２３は、ケーブルシールド６２から内部導体を電気的に絶縁している。ド
レンワイヤ２４は、シールドから絶縁されていないので内部導体と見なされていない。い
くつかのツイナックス構成では２つのドレンワイヤがあり、時にはそれらはケーブル１１
０の外側にある。このような事例においてそれらはシールドの一部と見なすことができる
。ケーブルシールド６２からケーブル絶縁体７２の外側へと延びる導電部品５は、図７に示す、ケーブル絶縁体７の外面を覆うスリーブチョーク１１のスリーブチョークシールド１７に接続することができる。
【００５８】
図１２に略示したＳＡＴＡケーブルレーン１２０は、同じケーブル絶縁体（被覆）７３を共有する２つのツイナックスケーブル１１０の組合せと見なすことができる。そしてＳＡＴＡケーブル１２０の構造は、導電部品５を有する図２に示したケーブル１の構造に類似している。図２の遮蔽ケーブル２は２つのツイナックスケーブル１１０に一致させることができる。高周波シリアルインタフェースケーブル（例えばＳＡＴＡまたはＳＡＳ）では、ＳＡＴＡケーブルレーン１２０に類似したいくつかのレーンが組み合わせて使用されている。このようなレーンは普通、２つのケーブル末端のコネクタのみで互いに接続されている。
【００５９】
実際には、図１３、図１４のＵＳＢ３．０およびＨＤＭＩ構成１３０、１４０と同様に、いくつかの遮蔽レベルを有するケーブルはそれぞれ、追加の外部シールドがあるためＥＭＩ放出に関連した問題を殆ど引き起こさないと見込まれるが、そのことはＳＣＭ電流源になり得るコネクタにも依存している。その場合、本発明は単一ケーブルまたはこのようなケーブル１００、１１０の組合せの最も外側のケーブルシールド６のみならず、ツイナックスケーブル１１０の内部シールドにも、適用することができる。特に、図７を参照して説明したスリーブチョークや別の種類のフィルタを既に含んでいる実施形態では、製造後にはシールドに手が届くことは必要とされないので、内部シールドにも適用することができる。
【００６０】
図１０では、導電部品５がケーブルシールド６１から両側へと延るように図示されているが、両側に延ばす必要はなく、片側だけでも使用可能である。図１１〜図１４でも同様である。
【００６１】
図１５では図２に一致した複数のケーブル１が、図２に図示したように導電部品５によって接続されている。複数のケーブル１を導電部品５と接続し、外部導電部品５を最適フィルタ（図１５には図示せず）に接続すると、電磁障害は容易に消去することができる。
【００６２】
本発明は上記ケーブルを含む電気装置にも及ぶ。一例が図１６に示してあり、そこではＥＭＩフィルタ２５を有するケーブルが、制御および／または処理ユニット２７と記憶装置２８との間で、および／またはユニット２７と入出力（Ｉ／О）インタフェース２６との間で使用されている。本発明は、図１７に符号２９と３０で略示した２つ以上の電子装置を接続する外部インタフェースにも及ぶ。本発明は電子装置のサブシステム、例えば図１８に示すようにインタフェース制御部３２と中央処理装置３１と記憶装置２８とから成る記憶媒体に対する内部インタフェース、または図１９に示したような入出力インタフェース２６に対するインタフェースにも及ぶ。より一般的には、本発明はＥＭＩ低減を目的に発明されたケーブルを使用する任意の電子装置に及ぶ。
【００６３】
本発明によれば、ケーブルの外側、または導電性ケーブルシールドを外部から接触可能とする空隙（１０）を有するケーブル絶縁体の外側に導電フィルタ支持体（５、８）が延びているので、異なる特徴を有する任意種類のフィルタを容易に接続することができる。また特定電力を使用する際にケーブルを適合させるフィルタを容易に変更することができる。これは、フィルタを周波数で変更できるので、ケーブルに適用される電気周波数範囲が限定されていないことを意味する。
【符号の説明】
【００６４】
１…ケーブル      ２…遮蔽ケーブル      ３…フィルタ支持部
４…ＥＭＩフィルタ      ５…導電部品      ６…ケーブルシールド
７…ケーブル絶縁体（被覆）      ８…導電ストラップまたはワイヤ
９…導電表面      １１…スリーブチョーク      ２４…ドレンワイヤ
２５…ＥＭＩフィルタを有するケーブル      ２６…入出力インタフェース
２７…制御および／または処理ユニット      ２８…記憶装置
２９…装置１      ３０…装置２      ３１…中央処理装置
３２…インタフェース制御部
【図１】
0005514612.tif 000002
【図２】
0005514612.tif 000003
【図３】
0005514612.tif 000004
【図４】
0005514612.tif 000005
【図５】
0005514612.tif 000006
【図６】
0005514612.tif 000007
【図７Ａ】
0005514612.tif 000008
【図７Ｂ】
0005514612.tif 000009
【図７Ｃ】
0005514612.tif 000010
【図７Ｄ】
0005514612.tif 000011
【図７Ｅ】
0005514612.tif 000012
【図８】
0005514612.tif 000013
【図９】
0005514612.tif 000014
【図１０】
0005514612.tif 000015
【図１１】
0005514612.tif 000016
【図１２】
0005514612.tif 000017
【図１３】
0005514612.tif 000018
【図１４】
0005514612.tif 000019
【図１５】
0005514612.tif 000020
【図１６】
0005514612.tif 000021
【図１７】
0005514612.tif 000022
【図１８】
0005514612.tif 000023
【図１９】
0005514612.tif 000024